(57)【要約】【課題】家畜の堆積糞尿の堆肥化時に、れき汁の排出と良好な堆肥としての熟成とが低コストで容易かつ確実に行える糞尿処理用簡易貯蔵施設の提供。【解決手段】糞尿処理用簡易貯蔵施設１は、糞尿堆積場所に敷き詰める遮水シート３と、遮水シート３上面に形成して糞尿を堆積させる床部４と、床部４上の堆積糞尿５に被せる被覆シート６とを備える。遮水シート３と被覆シート６とは堆積糞尿５の外周で互いの周縁部を着脱自在に密着して筒状に一体化し、被覆シート６は空気圧で堆積糞尿５上方に展張できるようにする。そして、被覆シート６を堆積糞尿５上方に展張し、堆積糞尿５の処理作業を被覆シート６に煩わされず容易に行えるようにする。また、遮水シート３と被覆シート６との間への圧縮空気１３の注入状態を保ち、れき汁が抜けた後も空気が堆積糞尿５内に送り込めるようにし、好気性発酵として、よりよい熟成条件を生み出す。【選択図】　　　図１
2004142974.tif 000002
【特許請求の範囲】
【請求項１】
家畜の糞尿を堆積して堆肥化する糞尿処理用簡易貯蔵施設であり、
前記糞尿の堆積場所に敷き詰める遮水シートと、この遮水シートの上面に形成して糞尿を堆積させる床部と、この床部に堆積させた堆積糞尿の上面に被せる被覆シートとを備えており、
前記遮水シートと被覆シートとは、前記堆積糞尿の外周において互いの周縁部を密着し筒状に一体化していると共に、前記被覆シートは、空気圧によって、前記堆積糞尿の上方に展張できるように構成していることを特徴とする糞尿処理用簡易貯蔵施設。
【請求項２】
前記被覆シートに空気の注排出ができる空気注入部を設けると共に、その空気注入部に空気を注入することで、前記被覆シートを前記堆積糞尿の上方に展張できるように構成していることを特徴とする請求項１記載の糞尿処理用簡易貯蔵施設。
【請求項３】
前記筒状に一体化した遮水シートと被覆シートとの間に、圧縮空気を注排出できるように構成していることを特徴とする請求項１記載の糞尿処理用簡易貯蔵施設。
【請求項４】
前記遮水シートと被覆シートとの間に圧縮空気を注入した時に、前記被覆シートを前記堆積糞尿の上方に展張できるように構成していることを特徴とする請求項１または３記載の糞尿処理用簡易貯蔵施設。
【請求項５】
前記遮水シートと被覆シートとの間に圧縮空気の注入していると共に、前記堆積糞尿の上面の全面に圧力用シートを被せていることを特徴とする請求項１、２、３、４記載の糞尿処理用簡易貯蔵施設。
【請求項６】
前記被覆シートを前記堆積糞尿の上方に展張していると共に、その被覆シートの前記堆積糞尿側に圧力用シートを被覆シートとで袋状となるように設けて、その圧力用シートと被覆シートとの間に圧縮空気を注排出できるように構成していることを特徴とする請求項１、２、４記載の糞尿処理用簡易貯蔵施設。
【請求項７】
前記床部は、前記糞尿を堆積させる上面側の上部を透水係数の低い材料で構成していると共に、前記堆積糞尿のれき汁の排出管を設置する下部を透水係数の高い材料で構成していることを特徴とする請求項１記載の糞尿処理用簡易貯蔵施設。
【請求項８】
家畜の糞尿を堆積して堆肥化する糞尿処理用簡易貯蔵施設において、堆積糞尿の上面に被せる被覆シートに、空気の注排出ができる空気注入部を設けると共に、その空気注入部に空気を注入することで、前記被覆シートを前記堆積糞尿の上方に展張できるように構成していることを特徴とする糞尿処理用簡易貯蔵施設。
【発明の詳細な説明】
【０００１】
【発明の属する技術分野】
この発明は、家畜の糞尿を堆積して堆肥化するための糞尿処理施設に関するものである。
【０００２】
【従来の技術】
糞尿処理施設としては、処理槽や攪拌ブレードなどの処理装置を備える大規模施設（例えば、特許文献１参照）と、シートを利用して処理を行う簡易施設（例えば、非特許文献１参照）とが一般に知られている。
【０００３】
【特許文献１】
特公昭６１−５８２４０号公報
【特許文献２】
特公平７−８８２６７号公報
【特許文献３】
特開２００２−２１１９９４号公報
【特許文献４】
実用新案登録第３０８１８７３号公報
【非特許文献１】
「簡易ふん尿堆積場の造成方法」（北海道農業試験会議資料）
【０００４】
【発明が解決しようとする課題】
前述した従来の処理装置を備える大規模施設では、例えば、建設・施工費用が高額となり、経営面での畜産農家の大きな負担になっている。
【０００５】
これに対して、前述した従来のシートを利用した簡易施設では、例えば、底部シートの上面に形成した床部に糞尿を堆積すると共に、その堆積糞尿の上面に上部シートを被せるというようなものであり、小規模の畜産農家でも自力で低コストで建設・施工できる。
【０００６】
しかし、このシートを利用した簡易施設では、堆積糞尿に含有しているれき汁の排出を効率よく行うことができないものであった。
【０００７】
例えば、前述した従来のシートを利用した簡易施設では、一定期間の貯蔵で自然に流れ出てくるのを待つことと共に、糞尿を堆積させる床部（排出管を設ける床部）の構造に問題があることから、れき汁の排出を効率よく行うことができずそのれき汁の排出処理に苦慮していた。
【０００８】
一方、堆積糞尿の堆肥としての熟成は、堆積糞尿内への雨水侵入を阻止する等の熟成状態の維持と共に、堆積糞尿内における発酵菌の増殖を促すことが重要になる。
【０００９】
この堆積糞尿の熟成状態の維持は堆積糞尿の上面をシートで覆うことにより対処できるが、発酵菌の増殖を促すためには堆積糞尿の内部に空気を送り込まなければうまくいかない。
【００１０】
ところが、シートで堆積糞尿の上面を覆うシート利用の簡易施設では、堆積糞尿が密封状態となって堆積糞尿内への空気の供給を行えなくなり、良好な堆肥としての熟成がうまくいかないことになる。
【００１１】
そのため、前述した従来のシートを利用した簡易施設では、例えば、熟成期間において、所定回数、トランター等で堆積糞尿を切り返し、堆積糞尿内に空気を供給している。
【００１２】
この切り返しは堆積糞尿の上面に被せたシートを全て剥がさないと実施できないものであると共に、この切り返しの終了後は再び堆積糞尿の上面にシートを被せる必要がある。
【００１３】
このような切り返しに伴う一連の作業は、かなり頻繁に行う必要があり、少人数の酪農家ではかなりの負担となっていた。
【００１４】
なお、上面をシートで覆って熟成状態を維持することは、堆積糞尿の上面にシートを被せて空気を遮断してしまうので、嫌気性発酵となりやすく、良好な堆肥としての熟成が困難でもあった。
【００１５】
この発明は前述した事情に鑑みて創案されたもので、その目的は家畜の糞尿を堆積して堆肥化する時に、低コストで、れき汁の排出と良好な堆肥としての熟成とが容易かつ確実に行える糞尿処理用簡易貯蔵施設を提供することにある。
【００１６】
【課題を解決するための手段】
この発明では、低コストで建設・施工が行えるシート利用で糞尿処理が行える簡易施設を用いることにする。
【００１７】
即ち、この発明での糞尿処理用簡易貯蔵施設は、糞尿の堆積場所に敷き詰める遮水シートと、この遮水シートの上面に形成して糞尿を堆積させる床部と、この床部に堆積させた堆積糞尿の上面に被せる被覆シートとを備える。
【００１８】
そして、遮水シートと被覆シートとは、堆積糞尿の外周において互いの周縁部を密着し筒状に一体化している。また、被覆シートは、空気圧によって、堆積糞尿の上方に展張できるように構成している。
【００１９】
このようなこの発明によれば、堆積糞尿の上面に被せる被覆シートを、空気圧によって、堆積糞尿の上方に展張できるので、堆積糞尿の切り返しなどの処理作業を被覆シート（剥がすや被せる）に煩わされることなく容易に行える。
【００２０】
この被覆シートを空気圧で堆積糞尿の上方に展張させる手段としては、例えば、被覆シートに設けた空気注入部に空気を注入するもの（請求項２の発明）と、筒状に一体化した遮水シートと被覆シートとの間に圧縮空気を注排出できる構成（請求項３の発明）にして被覆シートと遮水シートとの間に圧縮空気を注入するもの（請求項４の発明）とが考えられる。
【００２１】
なお、筒状に一体化した遮水シートと被覆シートとの間に圧縮空気を注排出できる構成（請求項３の発明）にして被覆シートと遮水シートとの間に圧縮空気を注入し、被覆シートを堆積糞尿の上方に展張させる場合（請求項４の発明）では、圧縮空気を注入した状態を保てば、両シート内の堆積糞尿に直接、空気圧がかかり、堆積糞尿内からのれき汁の排出を促進させることができる。
【００２２】
しかも、この圧縮空気の注入状態を保てば、堆積糞尿内かられき汁が抜けた後も、空気が堆積糞尿内に送り込まれるため、好気性発酵になって、堆肥としてのよりよい熟成条件を生み出すことができる。
【００２３】
れき汁の排出をより積極的に促進させるには、遮水シートと被覆シートとの間に圧縮空気の注入する共に、堆積糞尿の上面の全面に圧力用シートを被せること（請求項５の発明）が考えられる。
【００２４】
このような構成（請求項５の発明）では、圧力用シートで圧縮空気の空気圧を受けて、堆積糞尿を絞るようにして押圧することができ、より確実に堆積糞尿のれき汁の排出することができる。
【００２５】
また、れき汁の排出をより積極的に促進させるには、被覆シートを前記堆積糞尿の上方にテント状に展張すると共に、その被覆シートの堆積糞尿側に圧力用シートを被覆シートとで袋状となるように設けて、その圧力用シートと被服シートとの間に圧縮空気を注入すること（請求項６の発明）が考えられる。
【００２６】
このような構成（請求項６の発明）では、圧力用シートを堆積糞尿の上面の全面に被せる作業が必要なく、より簡単で確実に堆積糞尿のれき汁の排出することができる。
【００２７】
【発明の実施の形態】
以下、この発明の糞尿処理用簡易貯蔵施設を図示する実施形態によって説明する。
【００２８】
家畜の糞尿２を堆積して堆肥化する糞尿処理用簡易貯蔵施設１（図１〜図５参照）は、糞尿２の堆積場所に敷き詰める遮水シート３と、この遮水シート３の上面に形成して糞尿２を堆積させる床部４と、この床部４に堆積させた堆積糞尿５の上面に被せる被覆シート６とを備えている。
【００２９】
そして、この糞尿処理用簡易貯蔵施設１の遮水シート３と被覆シート６とは、堆積糞尿５の外周において互いの周縁部を密着し筒状に一体化している。また、被覆シート６は、空気圧によって、堆積糞尿５の上方に展張できるように構成している。
【００３０】
この実施形態での被覆シート６は、その所定箇所に設けた空気注入部７に空気を注入することで、例えば、テント状として、堆積糞尿５の上方に展張できるように構成している。
【００３１】
この実施形態での筒状に一体化した遮水シート３と被覆シート６とは、被覆シート６が堆積糞尿５の上方に展張した時に、図２に示すように、全体として略かまぼこ形状となるように構成されている。
【００３２】
この実施形態での空気注入部７は、図１に示すように、被覆シート６の外面に沿って設けており、空気注入時にアーチ状となるように構成している。そして、この空気注入部７は、図２に示すように、遮水シート３とで筒状に一体化した被覆シート６に、筒状の軸方向に一定間隔で複数設けている。
【００３３】
なお、この空気注入部７としては、図３に示すように、空気の注入時に、堆積糞尿５の両側に柱状に立設するものも考えられる。この場合の被覆シート６は両側の柱状の空気注入部７の間に平面状に展張されることになる。
【００３４】
また、この空気注入部７は、この実施形態では被覆シート６に直接設けているが、図４に示すように、空気注入部７を独立した部材とし、この空気注入部７に吊るされるようにして設けることも考えられる。
【００３５】
さらに、この空気注入部７は、この実施形態では被覆シート６の外面に沿って設けているが、図５に示すように、被覆シート６の内面に沿って設けるものも考えられる。このように、被覆シート６の内面、即ち、筒状に一体化した遮水シート３と被覆シート６との内部に設けることで、空気の注排出を繰り返すことから劣化しやすい空気注入部７を保護することができる。
【００３６】
この実施形態での床部４は、糞尿２を堆積させる上面側の上部４ａを透水係数の比較的低い材料８で構成していると共に、堆積糞尿５のれき汁の排出管９を設置する下部４ｂを透水係数の高い材料１０で構成している。
【００３７】
そして、この床部４の下部４ｂは、最深部に設けられている排出管９と、この排出管９よりやや高いレベルまで敷き詰めた切り込み砕石やもみ殻などの透水係数の高い材料１０とで構成している。また、床部４の上部４ａは、砂質土や山砂などの透水係数の比較的低い材料８で構成している。
【００３８】
なお、遮水シート３と被覆シート６との筒状の一体化は、例えば、チャック等で着脱自在に密着して行うことや、溶着等で完全に密着して行うことが考えられる。但し、チャック等で着脱自在に密着して行う方が、糞尿処理用簡易貯蔵施設１の施工が容易に行える。
【００３９】
また、図２において、符号１６は、筒状に一体化した遮水シート３と被覆シート６との筒状軸方向の端部を塞いでいる端部シートである。この端部シート１６は、チャック等で被覆シート６に着脱自在に密着しており、筒状に一体化した遮水シート３と被覆シート６との筒状軸方向の端部を密閉できると共に、後述する切り返し作業を行うトランター１１などの出入りを容易にしている。
【００４０】
このような構成からなるこの発明の糞尿処理用簡易貯蔵施設１を使用して、家畜の糞尿２を堆積して堆肥化するには、次に述べるようにして行う。
【００４１】
先ず、家畜の糞尿２を堆積して堆肥化する場所に遮水シート３を敷き詰めると共に、この遮水シート３の上面に排出管９を配置し、その周辺を砕石等の透水係数の高い材料１０で覆い、さらに、その上を山砂等の透水係数の低い材料８で被覆した構造の床部４を構築する。
【００４２】
次に、床部４の上面に糞尿２を堆積すると共に、この堆積糞尿５の上面に被覆シート６を被せる。そして、この被覆シート６と遮水シート３とを、堆積糞尿５の外周において互いの周縁部を密着し筒状に一体化する。
【００４３】
次に、堆積糞尿５の上面に被覆シート６を被せた状態で一定期間貯蔵して、堆積糞尿５を高い温度に維持し堆肥として熟成させることになる。この間に、自然に堆積糞尿５に含まれるれき汁が自然に流れ下って排出管９に集まり、外部に排出される。
【００４４】
このれき汁の排出は、排出管９を設けた床部４が、透水係数の低い材料８の上部４ａと、透水係数の高い材料１０の下部４ｂとから構成されているので、排出管９の近傍に濾過膜が発生して排出を阻害するようなことがなく、確実に行うことができる。
【００４５】
次に、一定期間をおいて、トランター１１（図２参照）等で堆積糞尿５を切り返しその内部に空気を供給することにより、堆積糞尿５における発酵菌の増殖させて、堆肥としての熟成を行う。
【００４６】
この切り返し作業は、空気注入部７に空気を注入して、堆積糞尿５の上面に被せた被覆シート６を堆積糞尿５の上方に展張することにより、被覆シート６（シートを剥がすや被せる）に煩わされることなく容易に行うことができる。
【００４７】
この発明の糞尿処理用簡易貯蔵施設１の切り返し作業時での優れた効果についても詳述する。
【００４８】
従来の一般的なシートで上面を覆ったシート式簡易糞尿堆積方式では、堆積糞尿を切り返すなどの作業時に、シートを全て剥がないと作業が出来ない。これは少人数の畜産農家などではかなりの負担となる。
【００４９】
そのため、堆積糞尿を切り返し作業を行うときなど、シートを剥がすことなくシートをトラクター作業に支障の無い高さまで上昇させることができれば、小規模畜産農家にとって非常な能率向上になる。
【００５０】
そこで、この発明の糞尿処理用簡易貯蔵施設１では、例えば、図１または図３に示すように、被覆シート６の上面またはサイド面に細長いバルーンまたはシート筒状の空気注入部７を設け、この空気注入部７の内部に空気を圧入して膨らませることにより、空気注入部７がアーチ状または支柱状になって、被覆シート６を切り返し作業に支障のない高さまで簡単に持ち上げることが出来る。
【００５１】
こうした構成とすることにより、通常時には空気注入部７から空気を抜いて被覆シート６を堆積糞尿５の上面にかけた状態にし、堆積糞尿５の上面を覆って処理状態を維持すると共に、強風時に被覆シート６が巻き上げ等により破損するようなことを少なくする。
【００５２】
また、堆積糞尿の切り返し作業時にはエアーポンプ等により空気注入部７に空気を入れることで、被覆シート６を堆積糞尿５の上方に展張した持ち上がった状態にして、作業効率の向上を図ることができる。
【００５３】
このように、この発明の糞尿処理用簡易貯蔵施設１では、前述した各作業を適宜行うことにより、糞尿２を堆積しての堆肥化が行える。
【００５４】
なお、図１〜図５において、符号１２は堆積糞尿５の上方に展張した被覆シート６の支持ロープである。
【００５５】
図６は、この発明の糞尿処理用簡易貯蔵施設１の別形態を示すものである。この実施形態では、筒状に一体化した遮水シート３と被覆シート６との間に、圧縮空気１３を注排出できるように構成していると共に、遮水シート３と被覆シート６との間に圧縮空気１３を注入した時に、被覆シート６を堆積糞尿５の上方に展張できるように構成している。
【００５６】
このように、この遮水シート３と被覆シート６との間に圧縮空気１３を注入できるようにすれば、前述した実施形態のように被覆シート６に空気注入部７を設けなくても、被覆シート６を堆積糞尿５の上方に展張することができる。この圧縮空気１３の注排出手段は図示しないが、複数の手段が考えられる。
【００５７】
また、筒状に一体化した遮水シート３と被覆シート６との間に、圧縮空気１３を注入できることは、堆積糞尿５におけるれき汁の排出および発酵菌の増殖を促進させて、糞尿２を堆積しての堆肥化の期間を短縮できるようになる。
【００５８】
詳述すると、れき汁排出の促進に関しては、遮水シート３と被覆シート６との間に注入した圧縮空気１３の空気圧により、堆積糞尿５に含まれるれき汁の排出管９からの排出を効率よく短期間で行うことができるようになる。
【００５９】
従って、図６に示したように、遮水シート３と被覆シート６との間に注入した圧縮空気１３で、被覆シート６を堆積糞尿５の上方に展張する構成では、被覆シート６の展張とれき汁の排出とを、簡単な構造で効率よく確実に行うことができる。
【００６０】
このれき汁排出の促進に関しては、図７に示すように、遮水シート３と被覆シート６との間に圧縮空気１３の注入する共に、堆積糞尿５の上面の全面に圧力用シート１４を被せる構成も考えられる。
【００６１】
また、図８に示すように、被覆シート６を堆積糞尿の上方にテント状に展張すると共に、その被覆シート６の堆積糞尿５側に圧力用シート１４を被覆シート６とで袋状となるように設けて、その圧力用シート１４と被覆シート６との間に圧縮空気１３を注排出できるようにした構成も考えられる。
【００６２】
このような図７および図８に示した構成によれば、堆積糞尿５の上面に被せた圧力用シート１４、または袋状とした両シート６，１４の間に圧縮空気１３を注入して膨らませた時の圧力用シート１４とにより、堆積糞尿５の全体を圧縮圧迫して、堆積糞尿５からから発生するれき汁を搾り取ることができる。
【００６３】
次に、発酵菌の増殖の促進に関して述べる。堆積糞尿５の堆肥としての熟成には、発酵菌の増殖を促すために空気を送り込まなければうまくいかない。従来の一般的なシートで上面を覆ったシート式簡易糞尿堆積方式では密封状態となり、空気の堆積糞尿５内への供給が出来ず堆肥としての熟成はうまくいかない。
【００６４】
そこで、この発明の糞尿処理用簡易貯蔵施設１のように、堆積糞尿５の外周において互いの周縁部を密着し筒状に一体化した被覆シート６と遮水シート３との中に糞尿２を堆積することにより、被覆シート６と遮水シート３との間に圧縮空気１３を注入すれば、堆積糞尿５を通して床部４の排出管９に空気が通ろうとする力を簡単に発生させることができる。
【００６５】
この時に前述のれき汁排出の促進によって堆積糞尿５かられき汁が抜けていれば、空気はれき汁が排出された空隙をとおり、床部４の排出管９を通って外部へ排出される。当然に堆積糞尿５内に大量の空気が供給されて、堆積糞尿５は空気送り込みにより発酵熟化が促進されることになる。
【００６６】
なお、筒状に一体化した遮水シート３と被覆シート６との間に、圧縮空気１３を注排出できるようにする構成は、前述した図１〜図５に示した実施形態にも採用できる。従って、図１〜図５に示した実施形態でも、堆積糞尿５におけるれき汁の排出および発酵菌の増殖を促進させて、糞尿２を堆積しての堆肥化の期間を短縮できる。
【００６７】
また、図６における符号１７は、堆積糞尿５の両側の部分とシートとの間から圧縮空気１３が漏れるのを阻止して気密を保持する気密用補助シートである。
【００６８】
図９は、この発明の糞尿処理用簡易貯蔵施設１で用いた、れき汁排出の促進手段の応用状態を示している。ここでは、一般のコンクリート製堆肥盤において、堆積糞尿５の上に袋状シート１５を設置して膨らませることで、れき汁の多い家畜の糞尿を簡単に搾り取ることができるようにしている。
【００６９】
図１０は、この発明の糞尿処理用簡易貯蔵施設１の別形態を示すものである。ここでの糞尿処理用簡易貯蔵施設１は、堆積糞尿５の上面に被せる被覆シート６に、空気の注排出ができる空気注入部７を設けると共に、その空気注入部７に空気を注入することで、被覆シート６を堆積糞尿の上方に展張できるように構成している。
【００７０】
即ち、この実施形態は、被覆シート６を単独で用いる場合を想定したもので、例えば、図１０に示すように、周縁部を地中に埋設して堆積糞尿５の上面に被せた被覆シート６を、空気注入部７への空気注入で、堆積糞尿の上方に展張できるように構成して、非常に簡単に糞尿処理用簡易貯蔵施設１を構築できるようにしたものである。
【００７１】
【発明の効果】
この発明によれば、堆積糞尿の上面に被せる被覆シートを、空気圧によって、堆積糞尿の上方に展張できるので、堆積糞尿の切り返し作業などの処理作業を被覆シートに煩わされることなく容易に行える。
【００７２】
また、筒状に一体化した遮水シートと被覆シートとの間に圧縮空気を注排出できる構成にして被覆シートと遮水シートとの間に圧縮空気を注入し、被覆シートを堆積糞尿の上方に展張させる場合では、圧縮空気を注入した状態を保てば、両シート内の堆積糞尿に直接、空気圧がかかり、堆積糞尿内からのれき汁の排出を促進させることができる。
【００７３】
しかも、この圧縮空気の注入状態を保てば、堆積糞尿内かられき汁が抜けた後も、空気が堆積糞尿内に送り込まれるため、好気性発酵になって、堆肥としてのよりよい熟成条件を生み出すことができる。
【００７４】
さらに、遮水シートと被覆シートとの間に圧縮空気の注入する共に、堆積糞尿の上面の全面に圧力用シートを被せれば、圧力用シートが圧縮空気の空気圧を受けて、堆積糞尿を絞るようにして押圧することができ、より確実に堆積糞尿のれき汁の排出することができる。
【００７５】
また、被覆シートを堆積糞尿の上方に展張すると共に、その被覆シートの堆積糞尿側に圧力用シートを被覆シートとで袋状となるように設けて、その圧力用シートと被覆シートとの間に圧縮空気を注入すれば、圧力用シートを堆積糞尿の上面の全面に被せる作業が必要なく、より簡単確実に堆積糞尿のれき汁の排出することができる。
【図面の簡単な説明】
【図１】この発明の糞尿処理用簡易貯蔵施設１を示す概略図である。
【図２】この発明の糞尿処理用簡易貯蔵施設１を示す概略斜視図である。
【図３】この発明の糞尿処理用簡易貯蔵施設１における空気注入部の別形態を示す概略図である。
【図４】この発明の糞尿処理用簡易貯蔵施設１における空気注入部の別形態を示す概略図である。
【図５】この発明の糞尿処理用簡易貯蔵施設１における空気注入部の別形態を示す概略図である。
【図６】この発明の糞尿処理用簡易貯蔵施設１の別形態を示す概略図である。
【図７】この発明の糞尿処理用簡易貯蔵施設１の別形態を示す概略図である。
【図８】この発明の糞尿処理用簡易貯蔵施設１の別形態を示す概略図である。
【図９】この発明の糞尿処理用簡易貯蔵施設１の応用形態を示す概略図である。
【図１０】この発明の糞尿処理用簡易貯蔵施設１の別形態を示す概略図である。
【符号の説明】
１…糞尿処理用簡易貯蔵施設、２…糞尿、３…遮水シート、４…床部、４ａ…上部、４ｂ…下部、５…堆積糞尿、６…被覆シート、７…空気注入部、８…透水係数の低い材料、９…排出管、１０…透水係数の高い材料、１１…トランター、１２…支持ロープ、１３…圧縮空気、１４…圧力用シート、１５…袋状シート、１６…端部シート、１７…気密用補助シート。
【図１】
2004142974.tif 000003
【図２】
2004142974.tif 000004
【図３】
2004142974.tif 000005
【図４】
2004142974.tif 000006
【図５】
2004142974.tif 000007
【図６】
2004142974.tif 000008
【図７】
2004142974.tif 000009
【図８】
2004142974.tif 000010
【図９】
2004142974.tif 000011
【図１０】
2004142974.tif 000012
【手続補正書】
【提出日】平成14年12月18日(2002.12.18)
【手続補正２】
【補正対象書類名】明細書
【補正対象項目名】特許請求の範囲
【補正方法】変更
【補正の内容】
【特許請求の範囲】
【請求項１】
家畜の糞尿を堆積して堆肥化する糞尿処理用簡易貯蔵施設であり、
前記糞尿の堆積場所に敷き詰める遮水シートと、この遮水シートの上面に形成して糞尿を堆積させる床部と、この床部に堆積させた堆積糞尿の上面に被せる被覆シートとを備えており、
前記遮水シートと被覆シートとは、前記堆積糞尿の外周において互いの周縁部を密着し筒状に一体化していると共に、前記被覆シートは、空気圧によって、前記堆積糞尿の上方に展張できるように構成していることを特徴とする糞尿処理用簡易貯蔵施設。
【請求項２】
前記被覆シートに空気の注排出ができる空気注入部を設けると共に、その空気注入部に空気を注入することで、前記被覆シートを前記堆積糞尿の上方に展張できるように構成していることを特徴とする請求項１記載の糞尿処理用簡易貯蔵施設。
【請求項３】
前記筒状に一体化した遮水シートと被覆シートとの間に、圧縮空気を注排出できるように構成していることを特徴とする請求項１記載の糞尿処理用簡易貯蔵施設。
【請求項４】
前記遮水シートと被覆シートとの間に圧縮空気を注入した時に、前記被覆シートを前記堆積糞尿の上方に展張できるように構成していることを特徴とする請求項１または３記載の糞尿処理用簡易貯蔵施設。
【請求項５】
前記遮水シートと被覆シートとの間に圧縮空気の注入していると共に、前記堆積糞尿の上面の全面に圧力用シートを被せていることを特徴とする請求項１、２、３、４記載の糞尿処理用簡易貯蔵施設。
【請求項６】
前記被覆シートを前記堆積糞尿の上方に展張していると共に、その被覆シートの前記堆積糞尿側に圧力用シートを被覆シートとで袋状となるように設けて、その圧力用シートと被覆シートとの間に圧縮空気を注排出できるように構成していることを特徴とする請求項１、２、４記載の糞尿処理用簡易貯蔵施設。
【請求項７】
前記床部は、前記糞尿を堆積させる上面側の上部を透水係数の低い材料で構成していると共に、前記堆積糞尿のれき汁の排出管を設置する下部を透水係数の高い材料で構成していることを特徴とする請求項１記載の糞尿処理用簡易貯蔵施設。
【請求項８】
家畜の糞尿を堆積して堆肥化する糞尿処理用簡易貯蔵施設において、堆積糞尿の上面に被せる被覆シートに、空気の注排出ができる空気注入部を設けると共に、その空気注入部に空気を注入することで、前記被覆シートを前記堆積糞尿の上方に展張できるように構成していることを特徴とする糞尿処理用簡易貯蔵施設。
【請求項９】
堆積用の床部を上面に形成すべく糞尿の堆積場所に敷き詰める遮水シートと、前記床部に堆積させた堆積糞尿の上面に被せる被覆シートとを、前記堆積糞尿の外周において互いの周縁部を密着し筒状に一体化すると共に、その遮水シートと被覆シートとの間に圧縮空気を注入することにより、その圧縮空気の空気圧によって、前記堆積糞尿におけるれき汁の排出および発酵菌の増殖を促進させることを特徴とする糞尿処理方法。
【手続補正３】
【補正対象書類名】明細書
【補正対象項目名】００２２
【補正方法】変更
【補正の内容】
【００２２】
しかも、この圧縮空気の注入状態を保てば、堆積糞尿内かられき汁が抜けた後も、空気が堆積糞尿内に送り込まれるため、好気性発酵になって、堆肥としてのよりよい熟成条件を生み出すことができる。
即ち、圧縮空気を注排出できる構成（請求項３の発明）にして被覆シートと遮水シートとの間に圧縮空気を注入し、被覆シートを堆積糞尿の上方に展張させる構成（請求項４の発明）にするような場合、遮水シートと被覆シートとの間に圧縮空気を注入することにより、その圧縮空気の空気圧によって、堆積糞尿におけるれき汁の排出および発酵菌の増殖を促進させるというこの発明（請求項９の発明）の糞尿処理方法になる。